(57)【要約】【課題】耐震性に優れ、内部に収納した瓶容器の落下防止効果のある比較的小型の瓶収納ラックを提供する。また、瓶容器のラベルがよく見え、瓶容器を飾って楽しめる瓶収納ラックを提供する。さらには、複数の異なるサイズの瓶容器を保持可能とする瓶収納ラックを提供する。【解決手段】両側板１１、天板１２および底板１３を含み、前面開口部１４から１本乃至複数本の瓶容器１を出し入れ可能に収納する瓶収納ラック１０である。天板１２の下面に、瓶容器１の首部２を斜め下方から挿入して保持させる環状の首部保持片１６を取付ける。底板１３の上面に、首部２を保持させた瓶容器１の底部３を上方へのみ抜出し可能に保持する底部保持部１７を取付ける。底部保持部１７は瓶容器１の底部３を側方から支持する少なくとも３つの小突起１８から構成する。小突起１８は着脱可能とし、その取付け位置を瓶容器１の外径サイズに応じて変更可能とする。【選択図】図１
0003137441.tif 000002
【実用新案登録請求の範囲】
【請求項１】
両側板、天板および底板を含み、前面開口部から１本乃至複数本の瓶容器を出し入れ可能に収納する瓶収納ラックであって、天板の下面に、瓶容器の首部を斜め下方から斜め上向きに挿入して保持させる環状の首部保持片を取付け、底板の上面に、首部を保持した瓶容器の底部を上方へのみ抜出し可能に保持する底部保持部を取付けてなることを特徴とする瓶収納ラック。
【請求項２】
底部保持部は、底板の上面に環状に配置され、取付けられた少なくとも３つの小突起から構成されることを特徴とする、請求項１記載の瓶収納ラック。
【請求項３】
各小突起は、底板の上面に環状に配置された取付孔に対し着脱可能に取付けられることを特徴とする、請求項２記載の瓶収納ラック。
【請求項４】
外径サイズの異なる瓶容器を任意に保持できるように、各小突起を取付ける取付け孔が瓶容器の保持位置中心から放射方向に向けて複数位置に穿設されていることを特徴とする、請求項３記載の瓶収納ラック。
【請求項５】
首部保持片および底部保持部は、複数本の瓶容器に対応して、天板の下面および底板の上面の複数箇所にそれぞれ設けられていることを特徴とする、請求項１記載の瓶収納ラック。
【請求項６】
首部保持片は、支持部を介して天板の下面から吊り下げられ、水平姿勢に取り付けられていることを特徴とする、請求項１記載の瓶収納ラック。
【請求項７】
首部保持片は、複数本の瓶容器に対応して、各瓶容器の首部を保持する複数箇所の環状部が配置され、環状部の間をブリッヂ部でつなぐ構成とされていることを特徴とする、請求項１記載の瓶収納ラック。
【考案の詳細な説明】
【技術分野】
【０００１】
本考案は、耐震性を備え、内部に収納した瓶容器の落下を防止できる瓶収納ラックに関するものである。
【背景技術】
【０００２】
この主の瓶収納ラックとして、従来より、例えば特許公開２００６−３１４３３８号に示すボトル収納棚や、特許公開２００５−１３２５１号に示す木製箱を用いた陳列棚が知られている。
【０００３】
しかし、特許公開２００６−３１４３３８号のボトル収納棚は、ボトルを水平姿勢で収納するためボトルの胴部に貼り付けられたラベルの表示が判りづらく、ボトルを飾ってラベルを見て楽しむことができず、また、耐震性の機能を備えてはいない。特許公開２００５−１３２５１号の木製箱を用いた陳列棚は、多段形式の比較的大型の棚であり、これも耐震性の機能を備えてはいない。
【０００４】
瓶などの落下防止装置として、特許公開２００１−３１４２５５号に示すものが知られている。しかし、特許公開２００１−３１４２５５号に示す落下防止装置は、落下防止の構造が比較的複雑であり、また、棚等の上に瓶等を保管するもので、瓶等の保管時における外観や見栄えが悪い。
【０００５】
【特許文献１】特許公開２００６−３１４３３８号公報
【特許文献２】特許公開２００５−１３２５１号公報
【特許文献３】特許公開２００１−３１４２５５号公報
【考案の開示】
【考案が解決しようとする課題】
【０００６】
本考案は上記問題点に鑑みてなされたもので、耐震性に優れ、内部に収納した瓶容器の落下防止効果のある比較的小型の瓶収納ラックを提供することを目的とする。また、瓶容器のラベルがよく見え、瓶容器を飾って楽しめる比較的小型の瓶収納ラックを提供することを目的とする。さらには、複数の異なるサイズの瓶容器を保持可能とする瓶収納ラックを提供することを目的とする。
【課題を解決するための手段】
【０００７】
前記課題を達成するために、本考案に係る請求項１の瓶収納ラックは、
両側板、天板および底板を含み、前面開口部から１本乃至複数本の瓶容器を出し入れ可能に収納する瓶収納ラックであって、天板の下面に、瓶容器の首部を斜め下方から斜め上向きに挿入して保持させる環状の首部保持片を取付け、底板の上面に、首部を保持した瓶容器の底部を上方へのみ抜出し可能に保持する底部保持部を取付けてなることを特徴とする。
【０００８】
本考案の瓶収納ラックによれば、瓶収納ラックの前面開口部から瓶容器の首部を斜め下方から環状の首部保持片内に斜め上向きに挿入させた後、首部を保持させた状態の瓶容器の底部を底板の上面に取付けた底部保持部内に下ろして保持させる。瓶収納ラック内に収納された瓶容器は、その首部と底部の両方が保持されるから、耐震性に優れ、瓶収納ラックの前面開口部から倒れたり、落下することが防止される。
【０００９】
瓶収納ラックから瓶容器を取出す場合は、瓶容器をいったん持ち上げて瓶容器の底部を底部保持部から抜出しし、底部を手前に引いて瓶容器を斜めの姿勢にし、最後に首部を環状の首部保持片から抜出すようにすればよい。瓶収納ラックに瓶容器を収納する場合は、前述したようにその逆の操作をすればよい。極めて簡単な動作で瓶容器を瓶収納ラックに収納し、あるいは取出すことができる。
【００１０】
瓶容器は瓶収納ラック内に立てた姿勢で収納されるから、瓶のラベルが前面開口部側からよく見え、好みの瓶容器を飾って楽しむことができる。首部保持片および底部保持部はそれぞれ天板付近および底板付近の狭い範囲に位置するから、瓶収納ラック内に収納した瓶のラベルをみて楽しむ際の視界の邪魔にならない。
【００１１】
瓶収納ラックを構成する両側板、天板および底板は木の材質を用いると、装飾性を高めることができる。また、背板を取付けて、内部に模様（一松模様など）を施せば、一層の装飾性を高めることができる。
【００１２】
本考案に係る請求項２の瓶収納ラックは、
底部保持部が、底板の上面に環状に配置され、取付けられた少なくとも３つの小突起から構成されることを特徴とする。
【００１３】
底部の水平断面が丸形状、三角形状、五角形状、六角形状などの瓶容器であれば、３つの小突起で瓶容器の底部を側方から３点支持し、水平方向への移動を抑止し、上方への抜出しのみを可能とすることができる。各小突起の高さは底部の側面に接触して支持する程度の高さがあればよく、例えば０．５ｃｍ〜１．０ｃｍ程度あればよい。瓶収納ラックに収納した瓶容器の外観を損ねない程度の高さに抑えることができる。
【００１４】
底部の水平断面が四角形状の瓶容器であれば、４つの小突起で瓶容器の底部を側方から４点支持することができる。いずれにしろ、小突起の数は、瓶容器の底部の水平移動を抑止できる最小限の数であればよい。  
【００１５】
本考案の請求項３に係る瓶収納ラックは、
各小突起が、底板の上面に環状に配置された取付孔に対し着脱可能に取付けられることを特徴とする。
【００１６】
本考案の瓶収納ラックは、瓶容器を収納するだけでなく、他の容器、例えば調味料入れを収納することもできる。その場合には、底板の上面から突出する各小突起は不要となる場合もあるので、不要な小突起を取り外し、他の容器を収納することもできる。
【００１７】
本考案の請求項４に係る瓶収納ラックは、
外径サイズの異なる瓶容器を任意に保持できるように、各小突起を取付ける取付け孔が瓶容器の保持位置中心から放射方向に向けて複数位置に穿設されていることを特徴とする。
【００１８】
小突起を、瓶容器の保持位置中心から放射方向に向けて複数位置に穿設した取付け孔のいずれに対しても取付けできるようにすることで、大小あるいは大中小と外径サイズの異なる任意の瓶容器のいずれも保持することができる。例えば、一番内側に小径の瓶容器の底部保持用、その外側に中径の瓶容器の底部保持用、一番外側に大径の瓶容器の底部保持用の取付け孔を設けて、保持する瓶容器のサイズに合わせて小突起の取付け位置を適宜選択することができる。
【００１９】
この場合、小突起が３つである場合には、１箇所の小突起用の取付け孔の位置は固定し、残り２箇所の小突起用の取付け孔の位置を複数設けることで、複数の異なる外径サイズに対応することができる。
【００２０】
本考案の請求項５に係る瓶収納ラックは、
首部保持片および底部保持部が、複数本の瓶容器に対応して、天板の下面および底板の上面の複数箇所にそれぞれ設けられていることを特徴とする。
【００２１】
瓶収納ラックに収納する複数本の瓶容器のそれぞれに対応して首部保持片および底部保持部を設けることで、収納した全ての瓶容器について、瓶収納ラックから倒れたり、落下するのを防止できる。  
【００２２】
本考案の請求項６に係る瓶収納ラックは、
首部保持片が、支持部を介して天板の下面から吊り下げられ、水平姿勢に取り付けられていることを特徴とする。
【００２３】
本考案の請求項７に係る瓶収納ラックは、
首部保持片が、複数本の瓶容器に対応して、各瓶容器の首部を保持する複数箇所の環状部を配置し、環状部の間をブリッヂ部でつなぐ構成とされていることを特徴とする。
【００２４】
1つの首部保持片でもって、複数本の瓶容器の各首部を同時に保持可能であり、製作コストの低減化を図ることができる。
【考案の効果】
【００２５】
以上説明したように、本考案の瓶収納ラックによれば、両側板、天板および底板を含み、前面開口部から１本乃至複数本の瓶容器を出し入れ可能に収納する瓶収納ラックであって、天板の下面に、瓶容器の首部を斜め下方から斜め上向きに挿入して保持させる環状の首部保持片を取付け、底板の上面に、首部を保持させた瓶容器の底部を上方へのみ抜出し可能に保持する底部保持部を取付けてなることを特徴とするから、耐震性に優れ、簡単な構造でもって瓶収納ラック内に収納した瓶容器が、瓶収納ラックから倒れたり、落下したりするのを防止することができる効果を奏する。
【００２６】
また、瓶収納ラック内に収納され上下の首部保持片および底部保持部で保持された姿勢の瓶容器は前方から瓶のラベルがよく見えるから、本考案の瓶収納ラックによれば、好みの瓶容器を飾って楽しむことができる効果を奏する。
【考案を実施するための最良の形態】
【００２７】
以下、図面を参照して、本考案の実施形態を説明する。図１ないし図８は本考案に係る瓶収納ラックの一実施形態を示すもので、図１および図２において、符号１０は瓶収納ラックを示している。
【００２８】
図１および図２に示すように、瓶収納ラック１０は、例えば４号から５号瓶が収納できる程度の比較的小型の大きさを有し、両側板１１，１１、天板１２および底板１３から構成されている。前面開口部１４からは複数本（図示例では３本）の瓶容器１を出し入れ可能に収納できるようになっている。背面には背板１５が取付けられている。これらの両側板１１,１１、天板１２、底板１３および背板１５は装飾性の観点から木製であることが望ましい。背板１５の内面には、模様を付して装飾性をより高めることができる。
【００２９】
天板１２の下面には、図１および図３に示すように、瓶容器１の首部２を保持する環状の首部保持片１６（図示例では３箇所）が支持部１６ａを介して吊り下げられ、水平姿勢に取付けられている。支持部１６ａは、図４に示すように、天面１２の下面に取付けられた取付板１６ｃに吊下げられている。環状の首部保持片１６の環状部１６ｂは、図５に示すように、その口径Ｄ１が瓶容器１の首部２を下から容易に挿入できるように首部２の外径Ｄ２よりも少し大きい寸法に設定されている。
【００３０】
各首部保持片１６の直下に位置して、底板１３の上面には、首部２を保持させた状態の瓶容器１の底部３を上方へのみ抜出し可能に保持する底部保持部１７（図示例では３箇所）が取付けられている。各底部保持部１７は、図６に示すように、底板１３の上面に環状に等間隔に配置された３つの小突起１８・・・から構成されている。各小突起８・・・の高さは０．５ｃｍ〜１．０ｃｍ程度とされる。各小突起１８は、その下部に小径部１８ａが形成され、図３に示すように、底板１３の上面に穿設された取付け孔１９に対し、螺合又は押込み等の手段によって、着脱可能に取り付けられている。この３つの小突起１８・・・によって、首部２を保持させた瓶容器１の底部３を、図６に示すように、側方から３点支持し、同底部３の水平移動を抑止し、上方への抜出しのみを可能としている。なお、３つの小突起１８・・・と瓶容器１の底部３との間は、瓶容器１が倒れない程度の若干の隙間があってもよい。
【００３１】
次に、上記のように構成された瓶収納ラック１０の使用方法について、図７および図８を参照して、以下に説明する。
【００３２】
瓶容器１を収納する場合には、図７の二点鎖線に示すように、まず、瓶収納ラック１０の前面開口部１４側から、瓶容器１の首部２を少し前方に傾けて首部２を斜め下方から、図７の矢印Ａのように、首部保持片１６の環状部１６ｂ内に挿入し、次いで、瓶容器１を天面１２の下面付近まで持ち上げて立てた姿勢にし、最後に瓶容器１の底部３を図７の矢印Ｂのようにして、底板１３の底部保持部１７内、すなわち３つの小突起１８・・・の内側に下ろす。瓶容器１の底部３を底部保持部１７内に下ろした状態では、図６に示すように、瓶容器１の底部３が水平移動不可に保持される。同時に、瓶容器１の首部２も、図５に示すように、首部保持片１６によって保持される。これによって、地震時などで揺れがあったとしても、瓶収納ラック１０内に収納した瓶容器１・・・が瓶収納ラック１０内から倒れたり、落下することが防止される。
【００３３】
瓶容器１を瓶収納ラック１０から取出すには、瓶容器１の底部３を、図８の矢印Ｃのように少し持ち上げて底部保持部１７内から上方へ抜出し、次いで、図８の矢印Ｄのように、底部３を手前に引きながら、斜めの姿勢にして、最後に、図８の矢印Ｅのように、瓶容器１の首部２を首部保持片１６から斜め下方に抜出して、瓶容器１を取り出すようにする。
【００３４】
本実施形態の瓶収納ラック１０によれば、焼酎、清酒、泡盛、ワイン、ウイスキーなどの瓶容器１を瓶収納ラック１０に複数本飾って楽しむことができる。図１に示すように、瓶容器１の各ラベル４を表にして、好みの瓶容器１を飾ることができる。
【００３５】
また、本実施形態の瓶収納ラック１０によれば、各瓶容器１を極めて容易にかつスムーズに出し入れすることができる。瓶容器１を瓶収納ラック１０に収納した状態では、各瓶容器１の首部２および底部３が首部保持片１６および底部保持部１７によって確実に保持され、地震時の揺れによって瓶収納ラック１０から各瓶容器１が倒れたり、落下することが防止される。
【００３６】
図９は本考案に係る瓶収納ラックの第２の実施形態を示すもので、本実施形態の瓶収納ラック２０は、小突起１８の取付け位置を調整し、外径サイズの異なる複数の瓶容器（図示例では３種類）１Ａ〜１Ｃを保持できるようになっている。すなわち、図９に示すように、底板１３の上面には、背板１５側の取付け孔１９を除き、前面開口部１４寄りの残りの２箇所に、保持位置中心Ｏから放射方向に複数の取付け孔（図示例では３個）１９Ａ〜１９Ｃが順次穿設されている。
【００３７】
背板１５側の取付け孔１９は固定の位置とされている。これにより、小突起１８を一番内側の３箇所の取付け孔１９、１９Ａに取り付けると、小径の瓶容器１Ａを保持することができる。前面開口部１４寄りの２箇所の小突起１８を外して、一番内側の取付け孔１９Ａの隣の取付け孔１９Ｂ，１９Ｂに取り付けると、中径の瓶容器１Ｂを保持することができる。さらに、前面開口部１４寄りの２箇所の小突起１８を外して、一番外側の取付け孔１９Ｃ，１９Ｃに取り付けると、大径の瓶容器１Ｃを保持することができる。
【００３８】
このようにして、前面開口部１４寄りの２箇所の小突起１８の位置を変更するだけで、同じ瓶収納ラック２０に外径サイズの異なる複数の瓶容器１Ａ〜１Ｃを保持させることができる。例えば、小径の瓶容器１Ａとして７２０ｍｌ（４号瓶）のロング丈サイズ、中径の瓶容器１Ｂとして７２０ｍｌ（４号瓶）のショート丈サイズ、大径の瓶容器１Ｃとして９００ｍｌ（５合瓶）のサイズのものを用いることができる。
【００３９】
図１０は本考案に係る瓶収納ラックの第３の実施形態を示すもので、本実施形態では、一つの首部保持片１６’に複数箇所の環状部１６ｂを配置し、それら環状部１６ｂの間をブリッヂ部１６ｄでつなぐ構成としたものである。そして、各環状部１６ｂ内に瓶容器１の首部２を保持させることができる。一つの首部保持片１６’で複数本の瓶容器１の各首部２を保持できるから、製作コストの低減化を図ることができる。
【００４０】
以上説明したように、本考案の瓶収納ラックによれば、耐震性に優れ、１本乃至複数本収納した瓶容器１・・・のそれぞれを首部保持片１６、１６’、底部保持部１７の各小突起１８・・・によって保持し、地震時等の揺れに対して、瓶収納ラック１０，２０から瓶容器１・・・が倒れたり、落下することが防止される。
【００４１】
また、各瓶収納ラックに１本乃至複数本の瓶容器１・・・を飾って楽しむことができる。
【産業上の利用可能性】
【００４２】
本考案に係る瓶収納ラックは、１本乃至複数本の瓶容器をラック内に収納し、飾って楽しむことのできる瓶収納ラックとして、利用することができる。
【図面の簡単な説明】
【００４３】
【図１】本考案の第１の実施形態を示す瓶収納ラックに瓶容器を収納した状態を示す斜視図である。
【図２】図１に示す瓶収納ラックの斜視図である。
【図３】図１に示す瓶収納ラックの縦断面図である。
【図４】図２に示す瓶収納ラックの首部保持部を下から見た状態を示す要部図である。
【図５】図１に示す瓶収納ラックにおいて、複数本の瓶容器の首部を首部保持部が保持している状態を示す説明図である。
【図６】図１に示す瓶収納ラックにおいて、複数本の瓶容器の底部を底部保持部が保持している状態を示す水平断面図である。
【図７】図１に示す瓶収納ラックにおいて、瓶容器を収納する様子を示す縦断面図である。
【図８】図１に示す瓶収納ラックにおいて、収納した瓶容器を取出す様子を示す縦断面図である。
【図９】本考案の第２の実施形態を示す瓶収納ラックの要部説明図である。
【図１０】本考案の第３の実施形態を示す瓶収納ラックの要部説明図である。
【符号の説明】
【００４４】
１，１Ａ，１Ｂ，１Ｃ  瓶容器
２  首部
３  底部
４  ラベル
１０，２０  瓶収納ラック
１１  側板
１２  天板
１３  底板
１４  前面開口部
１５  背板
１６，１６’  首部保持片
１６ａ  支持部
１６ｂ，１６ｂ  環状部
１６ｃ  取付け板
１６ｄ  ブリッヂ部
１７  底部保持部
１８  小突起
１９，１９Ａ，１９Ｂ，１９Ｃ  取付け孔
【図１】
0003137441.tif 000003
【図２】
0003137441.tif 000004
【図３】
0003137441.tif 000005
【図４】
0003137441.tif 000006
【図５】
0003137441.tif 000007
【図６】
0003137441.tif 000008
【図７】
0003137441.tif 000009
【図８】
0003137441.tif 000010
【図９】
0003137441.tif 000011
【図１０】
0003137441.tif 000012